(57)【特許請求の範囲】
【請求項１】
屋根の頂部に設けられる棟において、前記棟は、のし瓦と、該のし瓦を支持するためののし瓦支持手段とを交互に積層して構成され、前記のし瓦支持手段には、該のし瓦支持手段を上下に貫通する通気穴が形成され、これら複数ののし瓦支持手段のうち少なくとも１つののし瓦支持手段には、前記通気穴と連通すると共に前記棟の外部側へ向かう支持手段溝が形成され、前記複数ののし瓦のうち少なくとも１枚ののし瓦の下面には、前記棟の内部側から外部側へ向かう瓦溝が形成され、複数の前記通気穴が連通して画成される空気上昇路と、前記支持手段溝と前記瓦溝とにより画成される通気路とが連通することを特徴とする棟。
【請求項２】
平面方向に隣接する前記のし瓦同士は、ワイヤにより固定されていることを特徴とする請求項１記載の棟。
【請求項３】
前記瓦溝は、前記のし瓦の内側側面から該のし瓦下面の幅方向略中心部まで形成された空気導入溝と、前記幅方向略中心部から該のし瓦の外側側面まで形成された空気排出溝とからなることを特徴とする請求項１記載の棟。
【請求項４】
前記のし瓦は、その上面に突起が形成されていることを特徴とする請求項１記載の棟。
【請求項５】
前記のし瓦支持手段は、その下面に、前記のし瓦の上面の突起と嵌合する凹部が形成されていることを特徴とする請求項１又は４記載の棟。
【発明の詳細な説明】
【０００１】
【発明の属する技術分野】
この発明は、２つの屋根面の相交わる頂部に設けられる棟、特に通気性及び施工性の向上を図った構造に関する。
【０００２】
【従来の技術】
従来屋根の棟を構築する場合には、図９に示すように、野地板５２に葺かれた桟瓦５１上にのし瓦５０を左右両列にそれぞれ重ね、最上部に冠瓦５４を配し、これらのし瓦５０及び冠瓦５４の隙間を南蛮しっくい、モルタル等の棟土５５で固めている。
【０００３】
【発明が解決しようとする課題】
屋根には直射日光が照り付けるため、夏場には桟瓦５１の温度は７０℃程に、また屋根裏の空間Ｓ３の温度は５０〜６０℃程にもなることがある。このように、屋根に溜まった熱は、室内温度を上昇させ、延いては光熱費を増加させる大きな原因となる。
【０００４】
ここで、上記のような従来の棟部構造では、２つの屋根面の交わる頂部が棟土５５によって覆われてしまうため、桟瓦５１と野地板５２との間の空間Ｓ４内で暖められた空気は外部に逃げることができず、熱が空間Ｓ２に溜まってしまうので、室内温度の上昇を招く結果となる。また、多量の棟土５５を使用するため重量が大きくなるので、耐震性が低くなりやすく、更に施工作業も困難である。
【０００５】
そこで、この発明は、屋根に溜まった熱を効果的に放出することができ、また施工性の良い棟を提供することを目的とするものである。
【０００６】
【課題を解決するための手段】
上記課題を解決するために、この発明は、屋根の頂部に設けられる棟において、前記棟は、のし瓦と、該のし瓦を支持するためののし瓦支持手段とを交互に積層して構成され、前記のし瓦支持手段には、該のし瓦支持手段を上下に貫通する通気穴が形成され、これら複数ののし瓦支持手段のうち少なくとも１つののし瓦支持手段には、前記通気穴と連通すると共に前記棟の外部側へ向かう支持手段溝が形成され、前記複数ののし瓦のうち少なくとも１枚ののし瓦の下面には、前記棟の内部側から外部側へ向かう瓦溝が形成され、複数の前記通気穴が連通して画成される空気上昇路と、前記支持手段溝と前記瓦溝とにより画成される通気路とが連通するものである（請求項１）。
【０００７】
これによれば、桟瓦と野地板との空間にある高温度の空気は、上下方向に積層されるのし瓦支持手段のそれぞれに形成された通気穴により画成される空気上昇路内に進入し、上方へ抜けていく。そして、この高温度の空気は、のし瓦支持手段とのし瓦との間に画成される通気路を通り外部へ排出される。これにより、屋根に溜まった熱を効率よく放出することができる。また、複数ののし瓦の隙間に、予め用意されたのし瓦支持手段を挟み込むようにしていけばよいので、棟土を埋めていくよりも施工が容易となる。
【０００８】
また、平面方向に隣接する前記のし瓦同士は、ワイヤにより固定されているとよい（請求項２）。
【０００９】
これによれば、棟土の使用量が少量であっても、棟の強度を確保することができる。
【００１０】
また、前記瓦溝が前記のし瓦の内側側面から該のし瓦下面の幅方向略中心部まで形成された空気導入溝と、前記幅方向略中心部から該のし瓦の外側側面まで形成された空気排出溝とからなるものであってもよい（請求項３）。
【００１１】
これによれば、前記空気上昇路内を通る空気が、のし瓦の内側側面、即ち棟部の内部側の側面から空気導入溝を通ってのし瓦の下部に侵入し、更に空気排出溝を通ってのし瓦の外側側面、即ち棟部の外部側の側面から排出される。これにより、有効に熱を放出することができる。
【００１２】
また、前記のし瓦は、その上面に突起が形成されているとよい（請求項４）。
【００１３】
これによれば、平面方向に隣接するのし瓦を連結させるためのワイヤを巻回させやすくなるので、容易且つ強固に互いののし瓦を連結することができ、耐風性を向上させることができる。
【００１４】
また、前記のし瓦支持手段の下面には、前記のし瓦上面の突起と嵌合する凹部が形成されているとよい（請求項５）。
【００１５】
これによれば、前記のし瓦の上面に形成されたワイヤを巻き付けるための突起が邪魔になることがないと共に、のし瓦とのし瓦支持手段とが互いに連結されることとなり、固定強度が向上する。
【００１６】
【発明の実施の形態】
以下、この発明の実施の形態を図面に基づいて説明する。
【００１７】
図１及び図２に示されるこの発明の実施の形態に係る棟１は、のし瓦６ａ，６ｂ，７ａ，７ｂ、支持手段１０ａ，１０ｂ，１１ａ，１１ｂ、棟土５、冠瓦１２、ワイヤ１９を有して構成され、これら複数ののし瓦６ａ，６ｂ，７ａ，７ｂ及び支持手段１０ａ，１０ｂ，１１ａ，１１ｂを交互に積み重ね、その最上部に冠瓦１２を載置及び固定し、棟土５やワイヤ１９を用いてこれらを固定することにより、野地板３に固定された桟木８に桟瓦４を掛けて葺いた２つの屋根面の相交わる頂部を跨ぐように構築されるものである。
【００１８】
この実施の形態においては、前記のし瓦６ａ，６ｂ，７ａ，７ｂは２種類計４枚が使用され、下２段ののし瓦６ａ，６ｂと、上２段ののし瓦７ａ，７ｂとで異なる形状となっている。下２段ののし瓦６ａ，６ｂは、かさ状にやや反った形状を有するものであり、後述する突起１４が上面に形成されている以外には従来からののし瓦と略同等のものである。また、上２段ののし瓦７ａ，７ｂは、以下に詳述する通気性を有するのし瓦である（以下、通気性のし瓦７ａ，７ｂと称する）。
【００１９】
図３（ａ），（ｂ）に示される通気性のし瓦７ａ，７ｂは、セラミックス等から形成され、上面２２、下面２３、内側側面１８、外側側面２０を有する。上面２２及び下面２３とは、積層方向に対する上下面であり、内側側面１８とは、棟１の構築時に棟１の内部側を向く側面であり、外側側面２０とは、棟１の外部側を向く側面である。この通気性のし瓦７は、全体的には上面２２から下面２３側にやや反った形状を有し、幅方向（前記内側側面１８と外側側面２０とを結ぶ方向）略中心部分がやや薄く、外側端部がやや厚くなるように形成されている。
【００２０】
前記上面２２の長さ方向（前記幅方向と直角をなす方向）端部で前記内側側面部１８寄りの位置には、前記ワイヤ１９を巻回させるための突起１４が一体的に又は別部材を固着させることにより形成されている。この突起１４は、上端部が下端部よりも広がった形状となっている。また、この突起１４は、下２段ののし瓦６ａ，６ｂの上面にも形成されている。
【００２１】
また、図３（ｂ）に示すように、この通気性のし瓦７ａ，７ｂの下面２３には、複数の瓦溝が形成されている。これらの瓦溝は、空気導入溝２５と空気排出溝２１とからなり、前記空気導入溝２５は、前記内側側面１８から幅方向中心部へ向けて徐々に深さが浅くなる形状で２つ形成され、前記空気排出溝２１は、前記外側側面２０から幅方向中心部へ向けて徐々に深さが浅くなる形状で４つ形成されている。尚、前記空気導入溝２５及び空気排出溝２１の数及び形状は、適宜変更できるものである。
【００２２】
次に、前記支持手段１０ａ，１０ｂ，１１ａ，１１ｂを、図４及び図５を参照して説明する。この実施の形態においては、前記支持手段１０ａ，１０ｂ，１１ａ，１１ｂは発泡スチロールから形成され、下段２つの支持手段１０ａ，１０ｂと上段２つの支持手段１１ａ，１１ｂとで異なる形状となっている。
【００２３】
図４に示す上段２つの支持手段１１ａ，１１ｂは、幅方向略中央に長手方向に沿って上方へ突出して形成された突状部３１と、この突状部３１の下部から両外側に向かって形成され下方へ向かってかさ状にやや反った形状の翼部３０とを有して構成される。そして、前記突状部３１には、所定の間隔毎にこの突状部３１を上下に貫通する通気穴３３が形成されている。この通気穴３３の間隔は、前記通気性のし瓦７ａ，７ｂを翼部３０上に重ねた際に、前記空気導入溝２５の内側側面１８の開口部が前記通気穴３３と対峙するように調整されている。更に、前記翼部３０の上面には、前記通気穴３３と連通する位置から外側端部まで支持部側溝３２が形成されており、下面には、前記のし瓦６ａ，６ｂ及び通気性のし瓦７ａ，７ｂの上面に形成された突起１４と嵌合可能な形状の凹部３５が形成されている。
【００２４】
また、図５に示す下段２つの支持手段１０ａ，１０ｂは、幅方向略中央に長さ方向に沿って上方へ突出するように形成された突状部３９と、この突状部３９の下部から略両外側に向かって形成され下方へ向かってやや反ったかさ形状の翼部４０とを有して構成され、前記突状部３９には、所定の間隔毎にこの突状部３９を上下に貫通する通気穴４１が形成され、前記両翼部４０の下面に前記のし瓦６ａ，６ｂ及び通気性のし瓦７ａ，７ｂに形成された突起１４と嵌合可能な形状の前記凹部３５が形成されている。この下段２つの支持手段１０ａ，１０ｂにおいては、上記上段２つの支持手段１１ａ，１１ｂの翼部３０に形成された支持部側溝３２は形成されていない。
【００２５】
また、上記上段２つの支持手段１１ａ，１１ｂ及び下段２つの支持手段１０ａ，１０ｂの突状部３１及び３９は、積層時の安定性を得るために、図１、図２、図６、図７等に示されるように、下段のものほど幅広に形成されているが、これに限られるものではなく、同一の幅としてもよいものである。
【００２６】
そして、前記のし瓦６ａ，６ｂ，７ａ，７ｂ及び前記支持手段１０ａ，１０ｂ，１１ａ，１１ｂを用いて棟１を構築する際には、屋根の頂部に位置する２つの桟瓦４，４（図１及び図２参照）上に棟土５を盛り、この棟土５の上に前記最下段の支持手段１０ａを乗せて固定する。この最下段の支持手段１０ａの両翼部４０の上面に最下段ののし瓦６ａを乗せると共に、こののし瓦６ａの内側側面１８を前記突状部３１の側面に当接させる。そして、図８（ｄ）に示すように、前記ワイヤ１９を前記突起１４に巻回させて、平面方向に隣接するのし瓦６ａ同士を連結させる。
【００２７】
その後、こののし瓦６ａの上面及び支持手段１０ａの突状部３９の上面に、２段目の支持手段１０ｂを乗せ、この支持手段１０ｂの前記通気穴４１を最下段の支持手段１０ａの通気穴４１と連通させ、前記のし瓦６ａの上面に形成された突起１４をこの支持手段１０ｂ下面に形成された凹部３５に嵌合させる。そして、２段目ののし瓦６ｂを前記支持手段１０ｂの翼部４０上に、前記最下段ののし瓦６ａと突起１４の位置（位相）がずれるように乗せた後、図８（ｃ）に示すように、前記ワイヤ１９を前記突起１４に巻回させる。
【００２８】
そして、上記と同様にして、３段目の支持手段１１ａ及び３段目の通気性のし瓦７ａを積み重ね、図８（ｂ）に示すようにワイヤ１９を突起１４に巻回させ、、更に最上段の支持手段１１ｂ及び最上段の通気性のし瓦７ａを積み重ね、図８（ａ）に示すようにワイヤ１９を突起１４に巻回させる。すると、４つの支持手段１０ａ，１０ｂ，１１ａ，１１ｂの通気穴３３，４１により空気上昇路３４が画成される。この空気上昇路３４は、図１に示すように、複数の桟瓦４が葺かれた２つの屋根面が対峙する頂部の空間Ｓ２と通じており、空間Ｓ２は、野地板３と桟瓦４との空間Ｓ１と通じている。
【００２９】
そして、のし瓦６ａ，６ｂ，７ａ，７ｂは、図８（ｅ）に示すように、一段ずつ位相がずれた状態となる。また、図１及び図７に示すように、３段目及び最上段の支持手段１１ａ，１１ｂの翼部３０に形成された支持手段溝３２、３段目及び最上段の通気性のし瓦７ａ，７ｂに形成された空気導入溝２５、及び空気排出溝２１により画成される通気路３６が、前記空気上昇路３４と連通する。
【００３０】
上記のような棟１の構造によれば、日射等により桟瓦４の温度が上昇し、野地板３と桟瓦４との空間Ｓ１内の空気が高温となると、この高温空気は野地板３面に沿って上方へ移動し、前記頂部の空間Ｓ２に集まる。そして、この空間Ｓ２に集まった高温空気は、前記空気上昇路３４を通り上昇し、前記通気路３６に流入し、前記通気性のし瓦７ａ，７ｂの外側側面２０の空気排出溝２１開口部から外部へ排出される。これにより、前記空間Ｓ１内の空気が換気されるので、屋根付近に熱が溜まることを効果的に防止することができる。
【００３１】
また、のし瓦６ａ，６ｂ，７ａ，７ｂの上面に突起１４が形成されていることにより、ワイヤ１９を巻回させやすくなり、容易且つ強固にのし瓦同士を連結することができる。これにより、耐風性が向上する。更に、突起１４の上部が下部よりも広がった形状となっているため、この広がった部分が返しとなり、前記ワイヤ１９及び上段の支持手段の抜けが防止される。
【００３２】
また、のし瓦６ａ，６ｂ，７ａ，７ｂの連結を、これらのし瓦６ａ，６ｂ，７ａ，７ｂ間に予め作成された支持手段１０ａ，１０ａ，１１ａ，１１ｂを配することにより行うので、組付け性が向上する。更に、棟土５の使用量が少量で済むと共に、この支持手段１０ａ，１０ａ，１１ａ，１１ｂは軽量の発泡スチロールにより形成したので、棟１全体が軽量化され、耐震性が向上する。
【００３３】
【発明の効果】
以上のように、この発明によれば、桟瓦と野地板との空間にある高温度の空気は、のし瓦支持手段に形成された通気穴により画成される空気上昇路内に進入し、上方へ抜けていく。そして、この高温度の空気は、空気上昇路と連通する通気路を通り外部へ排出される。これにより、屋根に溜まった熱を効率よく放出することができる。また、複数ののし瓦の隙間には、予め用意されたのし瓦支持手段を挟み込んでいけばよいので、棟土を埋めていくよりも施工が容易となる。
【図面の簡単な説明】
【図１】      図１は、この発明の実施の形態に係る棟部構造を示す断面平面図である。
【図２】      図２は、この発明の実施の形態に係る棟部構造を示す断面斜視図である。
【図３】      図３（ａ）は、この発明の実施の形態に係るのし瓦の上面構造を示す斜視図であり、図３（ｂ）は、この発明の実施の形態に係るのし瓦の下面構造を示す斜視図である。
【図４】      図４は、この発明の実施の形態に係る上２段の支持手段の構造を示す斜視図である。
【図５】      図５は、この発明の実施の形態に係る下２段の支持手段の構造を示す斜視図である。
【図６】      図６は、支持手段を積み重ねた時の状態を示す斜視図である。
【図７】      図７は、支持手段及びのし瓦を積み重ねた時の内部構造を示す断面斜視図である。
【図８】      図８（ａ）は、最上段ののし瓦のワイヤ巻き付け構造を示す上面図であり、図８（ｂ）は、３段目ののし瓦のワイヤ巻き付け構造を示す上面図であり、図８（ｃ）は、２段目ののし瓦のワイヤ巻き付け構造を示す上面図であり、図８（ｄ）は、最下段ののし瓦のワイヤ巻き付け構造を示す上面図である。図８（ｅ）は、積み重ねた時ののし瓦の位相状態を示す側面図である。
【図９】      図９は、従来の棟部構造を示す断面平面図である。
【符号の説明】
１ 棟
３ 野地板
４ 桟瓦
５ 棟土
６ａ，６ｂ のし瓦
７ａ，７ｂ 通気性のし瓦
１０ａ，１０ｂ，１１ａ，１１ｂ 支持手段
１２ 冠瓦
１４ 突起
１９ ワイヤ
２１ 空気排出溝
２５ 空気導入溝
３１ 突状部
３２ 支持手段溝
３３ 通気穴
３０ 翼部
３４ 空気上昇路
３５ 凹部
３６ 通気路
３９ 突状部
４０ 翼部
４１ 通気孔
【図１】
0004281032.tif 000002
【図２】
0004281032.tif 000003
【図３】
0004281032.tif 000004
【図４】
0004281032.tif 000005
【図５】
0004281032.tif 000006
【図６】
0004281032.tif 000007
【図７】
0004281032.tif 000008
【図８】
0004281032.tif 000009
【図９】
0004281032.tif 000010